(57)【要約】【課題】温度や湿度等、環境の変化による反り等が生じて画質が劣ることを防ぎ、衝突等の事故により基板が割れる等した場合に、その破片が飛散することを防止できる、平面性が高く、かつ、安全な拡散光学シートと、それを用いた透過型スクリーン及び背面投射型表示装置を提供する。【解決手段】本発明によるレンチキュラーレンズシート１２０は、第２のガラス基板１２１の両面に、第２及び第４の飛散防止層１２３，１２２を一体的に積層し、入射側に設けられた第４の飛散防止層１２２にレンチキュラーレンズ部１２２ａを設けることにより課題を解決した。さらに、このレンチキュラーレンズシート１２０と、別体のフレネルレンズシート１１０とを組み合わせ、１組の透過型スクリーン１００とし、リアプロジェクションテレビ１に備えた。【選択図】図３
2006208593.tif 000002
【特許請求の範囲】
【請求項１】
入射側から投射された映像光を出射側に出射する透過型スクリーンに用いられる拡散光学シートであって、
光透過性を有し、剛性の高い高剛性基板層と、
前記高剛性基板層の両面に一体的に積層され、前記高剛性基板層の飛散を防止する飛散防止層と、
前記飛散防止層の少なくとも１つに設けられた拡散光学要素と、
を備えた拡散光学シート。
【請求項２】
請求項１に記載の拡散光学シートにおいて、
前記高剛性基板層は、ガラス又は透光性セラミックスにより形成されていること、
を特徴とする拡散光学シート。
【請求項３】
請求項１又は請求項２に記載の拡散光学シートにおいて、
前記拡散光学要素は、入射した光の少なくとも一部を屈折する屈折面を有する単位光学形状が水平又は垂直方向に複数配列されたレンチキュラーレンズであること、
を特徴とする拡散光学シート。
【請求項４】
請求項１又は請求項２に記載の拡散光学シートにおいて、
前記拡散光学要素は、入射した光の少なくとも一部を全反射する全反射面を有する単位光学形状が複数配列されていること、
を特徴とする拡散光学シート。
【請求項５】
請求項１から請求項４までのいずれか１項に記載の拡散光学シートにおいて、
光を拡散する拡散部を有すること、
を特徴とする拡散光学シート。
【請求項６】
請求項５に記載の拡散光学シートにおいて、
前記拡散部は、前記高剛性基板層より入射側及び出射側にそれぞれ設けられること、
を特徴とする拡散光学シート。
【請求項７】
請求項１から請求項６までのいずれか１項に記載の拡散光学シートにおいて、
前記飛散防止層の少なくとも１つは、拡散、反射防止、防眩、着色、減光、紫外線吸収、帯電防止、防汚、センサー、ハードコート、の少なくとも１つの機能を有すること、
を特徴とする拡散光学シート。
【請求項８】
請求項１から請求項７までのいずれか１項に記載の拡散光学シートにおいて、
前記高剛性基板層と前記飛散防止層とを一体的に接合する接合層を有すること、
を特徴とする拡散光学シート。
【請求項９】
請求項８に記載の拡散光学シートにおいて、
前記接合層の少なくとも１つは、光を拡散させる拡散材、紫外線を吸収する紫外線吸収剤の少なくとも１つを含むこと、
を特徴とする拡散光学シート。
【請求項１０】
請求項１から請求項９までのいずれか１項に記載の拡散光学シートを備えた透過型スクリーン。
【請求項１１】
請求項１０に記載の透過型スクリーンと、
映像光を投射する光源部と、
前記光源部から投射された映像光を、前記透過型スクリーンに向けて反射させるミラー部と、
を備えた背面投射型表示装置。
【発明の詳細な説明】
【技術分野】
【０００１】
本発明は、光源から投射された映像光を出射側に出射する透過型スクリーンに用いられる拡散光学シートと、その拡散光学シートを用いた透過型スクリーン及び背面投射型表示装置に関するものである。
【背景技術】
【０００２】
映像光をスクリーンの背後から投射して表示する背面投射型表示装置では、映像光を拡大投影して表示するスクリーンとして透過型スクリーンが使用されている。一般的に、この透過型スクリーンは、光源から投射される映像光を観察面側へ略平行光となるように屈折させるフレネルレンズシートと、映像光を拡散させるレンチキュラーレンズ等の拡散効果を有するシートとを組み合わせて使用されている。
従来、このような透過型スクリーンに使用されるレンチキュラーレンズシート及びフレネルレンズシートは、アクリル樹脂、ポリカーボネート樹脂等のプラスチック製の基板に、レンズ等の光学要素を積層することにより形成されている。
【０００３】
しかし、プラスチック製の基板は、温度や湿度等、環境の変化によりその厚さや大きさ等が変化しやすい。そのため、シートが反り、フレネルレンズシートとレンチキュラーレンズシートとの間に浮きが生じることがあった。そのような状態の透過型スクリーンに映像光を投射すると、焦点ぼけ、色再現の低下、二重像、画像の歪み等、画質が著しく低下するという問題があった。
特に、薄型のリアプロジェクションテレビでは、透過型スクリーンへの映像光の入射角度が大きいため、スクリーンに生じたわずかな反りや浮きは、画質に与える影響が非常に大きいという問題があった。
また、透過型スクリーンは、大型化すると環境の変化によって生じた反りや浮きによる画像の劣化が小型のものに比べて目立ちやすくなるという問題や、自重により撓みやすくなるという問題があった。
【０００４】
そこで、温度や湿度等の環境の変化による反り等が生じ難いガラス製の基板を用いた透過型スクリーンが開発されてきた。ガラス製の基板を用いた透過型スクリーンの例として、例えば、以下に示すような特許文献１から特許文献４があげられる。
特許文献１では、フレネルレンズシート（特許文献１には「フレネルレンズ板」と記載）と、ガラス基板の片面にレンチキュラーレンズ層（特許文献１には「レンチキュラーレンズシート」と記載）が積層されたレンチキュラーレンズシート（特許文献１には「レンチキュラーレンズ板」と記載）とを組み合わせた透過型スクリーンの例を開示している。
しかし、スクリーンの出射側の最前面（最観察側面）がガラス基板となるため、事故等によりガラス基板が破損した場合、ガラスの破片が飛散するという問題があった。
また、特許文献１では、ガラス基板に拡散材を混合して拡散効果を持たせる例が開示されているが、ガラス基板に拡散材を混合することは容易ではなく、生産コストがかかるという問題や、拡散材を混合することによりガラス基板が脆くなり、割れやすくなるという問題があった。
【０００５】
特許文献２では、レンチキュラーレンズシートと、フレネルレンズシートを、熱処理により互いに逆方向に凹凸状に曲率を設け、ガラス基板を挟む形で密着して支持する構造を開示している。
しかし、特許文献２に開示された手法は、フレネルレンズシートの入射側にフレネルレンズ形状が設けられたフレネルレンズシートでは可能であるが、フレネルレンズシートの出射側（ガラス基板側）にフレネルレンズ形状が設けられたものでは、ガラス基板とレンズ面とが密着し、レンズ面が擦れるため、適用できないという問題があった。
【０００６】
さらに、特許文献３では、ガラス基板の一方の平面に直接フレネルレンズを成形し、レンチキュラーレンズが成形されたプラスチックシートをもう一方の平面に一体的に積層することにより、スクリーンを形成する例を開示している。
しかし、ガラス基板に直接フレネルレンズを成形することは、技術的に容易ではなく、生産コストがかかるという問題があった。また、プラスチックシートにより保護されるのはガラス基板の片面のみであるため、フレネルレンズが形成された側の平面は保護されておらず、事故等によりガラス基板が割れる等した場合に、その破片が飛散するという問題や、レンズに傷や汚れが付着するという問題があった。さらに、フレネルレンズ形状の谷部分は、応力が集中しやすく、割れやすいという問題があった。
【０００７】
特許文献４では、ガラス基板表面に紫外線硬化樹脂を塗布し、レンズ層を接着させ、そのレンズ層の表面に保護層として紫外線硬化樹脂を塗布し、入射側及び出射側が完全平板であるフレネルレンズシートを形成し、さらに保護層の上にもう一枚ガラス基板を接着させ、耐環境性をあげる例が開示されている。
しかし、特許文献４に開示された手法は、最表面がガラス基板となるため、ガラス基板が割れる等した場合に破片が飛散するという問題があった。
【０００８】
【特許文献１】特開２００２−３５７８６８号公報
【特許文献２】特開２００１−１５４２７４号公報
【特許文献３】特開平２−１８３２４１号公報
【特許文献４】特開平２−４２４０１号公報
【発明の開示】
【発明が解決しようとする課題】
【０００９】
本発明の課題は、温度や湿度等、環境の変化による反り等が生じて画質が劣ることを防ぎ、事故等により基板が破損した場合に、その破片が飛散することを防止できる、平面性が高く、かつ、安全な拡散光学シートと、それを用いた透過型スクリーン及び背面投射型表示装置を提供することである。
【課題を解決するための手段】
【００１０】
本発明は、以下のような解決手段により、前記課題を解決する。なお、理解を容易にするために、本発明の実施例に対応する符号を付して説明するが、これに限定されるものではない。
請求項１の発明は、入射側から斜めに投射された映像光を出射側に出射する透過型スクリーンに用いられる拡散光学シートであって、光透過性が高く、かつ、剛性の高い高剛性基板層（１２１，２２１，３１１，４２１，５２１）と、前記高剛性基板層の両面に一体的に積層された飛散防止層（１２２，１２３，２２２，２２３，３１２，３１３，４２２，４２３，５２２，５２３）と、前記飛散防止層の少なくとも１つの面に設けられた拡散光学要素（１２２ａ，２２２ａ，３１３ａ，４２２ａ，５２２ａ）と、を備えた拡散光学シート（１２０，２２０，３００，４２０，５２０）である。
【００１１】
請求項２の発明は、請求項１に記載の拡散光学シートにおいて、前記高剛性基板層（１２１，２２１，３１１，４２１，５２１）は、ガラスにより形成されていること、を特徴とする拡散光学シート（１２０，２２０，３００，４２０，５２０）である。
【００１２】
請求項３の発明は、請求項１又は請求項２に記載の拡散光学シートにおいて、前記拡散光学要素は、入射した光の少なくとも一部を屈折する屈折面を有する単位光学形状が水平又は垂直方向に複数配列されたレンチキュラーレンズ（１２２ａ，２２２ａ）であること、を特徴とする拡散光学シート（１２０，２２０）。
【００１３】
請求項４の発明は、請求項１又は請求項２に記載の拡散光学シートにおいて、前記拡散光学要素は、入射した光の少なくとも一部を全反射する全反射面を有する単位光学形状が複数配列されていること、を特徴とする拡散光学シート（３００，４２０，５２０）。
【００１４】
請求項５の発明は、請求項１から請求項４までのいずれか１項に記載の拡散光学シートにおいて、光を拡散する拡散部を有すること、を特徴とする拡散光学シート（１２０，２２０，３００，４２０，５２０）である。
【００１５】
請求項６の発明は、請求項５に記載の拡散光学シートにおいて、前記拡散部は、前記高剛性基板層（１２１，２２１，３１１，４２１，５２１）より入射側及び出射側にそれぞれ設けられること、を特徴とする拡散光学シート（１２０，２２０，３００，４２０，５２０）である。
【００１６】
請求項７の発明は、請求項１から請求項６までのいずれか１項に記載の拡散光学シートにおいて、前記飛散防止層（１２２，１２３，２２２，２２３，３１２，３１３，４２２，４２３，５２２，５２３）の少なくとも１つは、拡散、反射防止、防眩、着色、減光、紫外線吸収、帯電防止、防汚、センサー、ハードコートの少なくとも１つの機能を有すること、を特徴とする拡散光学シート（１２０，２２０，３００，４２０，５２０）である。
【００１７】
請求項８の発明は、請求項１から請求項７までのいずれか１項に記載の拡散光学シートにおいて、前記高剛性基板層（１２１，２２１，３１１，４２１，５２１）と、前記飛散防止層（１２２，１２３，２２２，２２３，３１２，３１３，４２２，４２３，５２２，５２３）とを一体的に接合する接合層（１２４−１，１２４−２，２２４−１，２２４−２，３１４−１，３１４−２，４２４−１，４２４−２，５２４−１，５２４−２）を有すること、を特徴とする拡散光学シート（１２０，２２０，３００，４２０，５２０）である。
【００１８】
請求項９の発明は、請求項８に記載の拡散光学シートにおいて、前記接合層の少なくとも１つは、光を拡散させる拡散材、紫外線を吸収する紫外線吸収剤の少なくとも１つを含むこと、を特徴とする拡散光学シートである。
【００１９】
請求項１０の発明は、請求項１から請求項９までのいずれか１項に記載の拡散光学シート（１２０，２２０，３００，４２０，５２０）を備えた透過型スクリーン（１００，２００，３００，４００，５００）である。
【００２０】
請求項１１の発明は、請求項１０に記載の透過型スクリーン（１００，２００，３００，４００，５００）と、映像光を投射する光源部（２１，２２）と、前記光源部から投射された映像光（Ｌ）を、前記透過型スクリーンに向けて反射させるミラー部（３１，３２）と、を備えた背面投射型表示装置（１，２）である。
【発明の効果】
【００２１】
本発明によれば、以下の効果を奏することができる。
（１）拡散光学シートは、光透過性を有し、剛性が高い高剛性基板層を備えることにより、温度や湿度等の環境の変化による反り等や自重による撓み等を防止できる。
また、拡散光学シートは、その高剛性基板層の両面に、一体的に飛散防止層が積層されているので、拡散光学シートを単体で扱う作業中等に、誤って高剛性基板層を破損してもその破片が飛散せず、安全である。さらに、この拡散光学シートは、背面投射型表示装置の透過型スクリーンに用いた場合に、衝突等の事故により高剛性基板層が割れる等しても、その破片は飛散せず、安全性の高い透過型スクリーン、背面投射型表示装置を提供できる。
【００２２】
（２）高剛性基板層は、ガラス又は透光性セラミックスにより形成されているので、温度や湿度等の環境の変化による反り等が生じ難い、平面性の高い拡散光学シートを提供できる。
また、ガラス製又は透光性セラミックス製の基板は、衝突等の事故により割れる等した場合に、その破片が飛散して危険であるが、本発明による高剛性基板層は、その両面が飛散防止層によって覆われた形態となっており、割れたり、ひびが入ったりした場合に、その破片は飛散せず、安全である。
【００２３】
（３）拡散部は、光を拡散させるので、シンチレーション（画面のぎらつき）の低減、視野角の拡大、拡散の均一性の向上等の効果が期待できる。
【００２４】
（４）飛散防止層は、少なくとも１つが、拡散、紫外線吸収、反射防止、防眩、減光、着色、ハードコート、帯電防止、防汚、センサー等の少なくとも１つの機能を有するので、高剛性基板層が割れる等した場合の破片の飛散を防止する効果に加えて、画質の向上や、スクリーンの保護、機能性の向上等の効果が期待できる。
【００２５】
（５）接合層は、高剛性基板層と飛散防止層とを一体的に接合するので、高剛性基板層が事故等により割れる等した場合に、その破片の飛散を防止する飛散防止層の効果を高める。
また、接合層は、少なくとも１つが、光を拡散させる拡散材、紫外線を吸収する紫外線吸収剤の少なくとも１つを含む。よって、接合層は、飛散防止層にこれらを混合することができない場合であっても、拡散材を含むことにより、光を拡散させ、シンチレーション（画面のぎらつき）の低減、視野角の拡大、拡散の均一性の向上等が期待でき、紫外線吸収剤を含むことにより、紫外線によるスクリーンの黄変を防止することができる。
【発明を実施するための最良の形態】
【００２６】
本発明は、温度や湿度等の環境の変化による反りや自重による撓み等が生じ難く、事故等により基板が割れる等した場合に、その破片が飛散しない安全な拡散光学シートと、その拡散光学シートを用いた透過型スクリーン及び背面投射型表示装置を提供するという目的を、ガラス製の基板を用い、その両面に飛散防止層を一体的に積層し、その入射側の飛散防止層にレンチキュラーレンズ部を設けたレンチキュラーレンズシートとすることにより実現した。さらに、このレンチキュラーシートと別体のフレネルレンズシートとを組み合わせて１組の透過型スクリーンとし、背面投射型表示装置に用いた。
【実施例１】
【００２７】
図１は、本発明によるレンチキュラーレンズシートを用いた実施例１の透過型スクリーンを示した図である。
図２は、実施例１の透過型スクリーンを用いたリアプロジェクションテレビの断面図である。
実施例１の透過型スクリーン１００は、図１に示すように、映像光Ｌの入射側（光源側）に設けられたフレネルレンズシート１１０と、映像光Ｌの出射側（観察面側）に設けられたレンチキュラーレンズシート１２０とを備え、これらを組み合わせることにより１組のスクリーンとして形成され、映像光Ｌの結像面に配置される。
リアプロジェクションテレビ１は、図２に示すように、光源部２１、ミラー部３１、透過型スクリーン１００等を備えた背面投射型表示装置である。このリアプロジェクションテレビ１は、透過型スクリーン１００の観察面側（出射側）とは反対側に設けられた、ＤＭＤを用いた単管方式の光源部２１から投射された映像光Ｌを、ミラー部３１で反射させ、透過型スクリーン１００に投射して表示する。
【００２８】
図３は、本発明によるレンチキュラーレンズシートを用いた実施例１の透過型スクリーンの層構成を模式的に示した図である。
映像光Ｌは、図中の矢印で示され、図中の右側から透過型スクリーン１００に入射し、図中の左側から出射する。また、図中において、白抜きの円が分布した層は、光を拡散させる拡散材を含むことを示す。
【００２９】
（フレネルレンズシート）
まず、フレネルレンズシート１１０について説明する。
フレネルレンズシート１１０は、図３に示すように、第１のガラス基板１１１、第１の飛散防止層１１２、第３の飛散防止層１１３、接合層１１４−１，１１４−２を有し、透過型スクリーン１００の入射側に配置されている。
第１のガラス基板１１１は、光透過性が高く、かつ、剛性の高い高剛性基板層であり、ケイ酸塩ガラスにより形成された、厚さ２ｍｍのガラス板である。第１のガラス基板１１１に用いるガラス板の厚さは、１．５〜３ｍｍの範囲内であればよく、本実施例では２ｍｍとした。この第１のガラス基板１１１は、波長帯域が４００〜７００ｎｍにおける光の透過率が９０％以上である。
【００３０】
接合層１１４−１，１１４−２は、第１のガラス基板１１１と後述する第１及び第３の飛散防止層１１２，１１３等とを一体的に接合するための層であり、紫外線を照射することにより硬化する紫外線硬化型のアクリル樹脂により形成され、その厚さは１００μｍである。接合層１１４−１は、第１のガラス基板１１１と第１の飛散防止層１１２との間に設けられ、接合層１１４−２は、第１のガラス基板１１１と第３の飛散防止層との間に設けられている。
【００３１】
第１の飛散防止層１１２は、第１のガラス基板１１１より入射側に接合層１１４−１を介して一体的に積層され、第１のガラス基板１１１が破損したときに飛散を防止する機能を有する部材である。この第１の飛散防止層は、アクリル樹脂等により形成された反射防止の機能を有する汎用の反射防止シートであり、その厚さは８０μｍである。
【００３２】
第３の飛散防止層１１３は、第１のガラス基板１１１の出射側に接合層１１４−２を介して一体的に積層され、第１のガラス基板１１１が破損したときに飛散を防止する機能を有する部材である。
この第３の飛散防止層１１３は、予め、フレネル基材部１１３ｂの片面に、紫外線硬化樹脂を用いてフレネルレンズ部１１３ａを形成したものを、第１のガラス基板１１１に積層している。
【００３３】
フレネル基材部１１３ｂは、第３の飛散防止層１１３のベースとなる厚さ２００μｍのシート状の部材であり、ガラスビーズを拡散材として混合したアクリル樹脂により形成され、光を拡散する拡散部としての機能を有する。ここで、ガラスビーズは、拡散が光の波長に依存しないように、直径１μｍ以上のものが用いられている。
ここで、拡散部とは、基材となる部材に対し、有機又は無機の化合物により形成された粒子を練りこむ、または、その表面に有機又は無機の化合物により形成された粒子をコーティングする、または、その表面に微細な凹凸形状を設ける等により、光を拡散させる機能を有する部分である。
【００３４】
フレネルレンズ部１１３ａは、フレネル基材部１１３ｂの出射側に一体的に形成され、入射側から入射した映像光Ｌを所定の方向に屈折させ、出射側へ略平行光として出射するフレネルレンズとして機能する。
このフレネルレンズ部１１３ａは、フレネルレンズの逆型形状を有する不図示のフレネルレンズ成型用金型を加温し、紫外線硬化型樹脂を金型面に塗布し、塗布された紫外線硬化型樹脂の温度を保ちながら、金型に充填された紫外線硬化型樹脂の上にフレネル基材部１１３ｂを加圧積層し、紫外線を照射して樹脂を硬化させ、金型から剥離することによりフレネル基材部１１３ｂに一体的に形成されている。紫外線硬化型樹脂は、特に限定はしないが、ウレタンアクリレート、エポキシアクリレート等が好ましい。
【００３５】
（レンチキュラーレンズシート）
次に、本発明によるレンチキュラーレンズシート１２０について説明する。
レンチキュラーレンズシート１２０は、図３に示すように、第２のガラス基板１２１、第２の飛散防止層１２３、第４の飛散防止層１２２、接合層１２４−１，１２４−２を備え、映像光Ｌを屈折させ、拡散する拡散光学シートであり、透過型スクリーン１００の出射側に配置されている。
【００３６】
第２のガラス基板１２１は、光透過性を有し、剛性の高い高剛性基板層であり、第１のガラス基板１１１と同様に、ケイ酸塩ガラスにより形成された厚さ２ｍｍのガラス板である。この第２のガラス基板１２１は、第１のガラス基板１１１と同様に、波長帯域４００〜７００ｎｍにおける光の透過率が９０％以上である。
接合層１２４−１，１２４−２は、第２のガラス基板１２１と、第４の飛散防止層１２２、第２の飛散防止層１２３とを一体的に接合するための層であり、紫外線硬化型のアクリル樹脂により形成された厚さ１００μｍの層である。
【００３７】
第４の飛散防止層１２２は、第２のガラス基板１２１の入射側に接合層１２４−１を介して一体的に積層され、第２のガラス基板１２１が破損したときに飛散を防止する機能を有する。
この第４の飛散防止層１２２は、予め、レンチキュラー基材部１２２ｂの片面に、熱可塑性樹脂を用いてレンチキュラーレンズ部１２２ａが形成され、もう一方の面に、光を吸収する光吸収部１２２ｃが形成されたものを、第２のガラス基板１２１に積層している。本実施例において、レンチキュラーレンズ部１２２ａは、熱可塑性樹脂を用いて形成される例を示したが、これに限らず、フレネルレンズ部１１３ａと同様に、紫外線硬化型樹脂等により形成してもよい。
レンチキュラー基材部１２２ｂは、第４の飛散防止層１２２のベースとなる厚さ２００μｍのシート状の部材であり、ガラスビーズを拡散材として混合したアクリル樹脂により形成され、拡散部としての機能を有する。
【００３８】
レンチキュラーレンズ部１２２ａは、レンチキュラー基材部１２２ｂの入射側の面に一体的に形成された拡散光学要素である。拡散光学要素とは、光を拡散する効果を有するレンズ又はプリズム形状の光学要素である。
このレンチキュラーレンズ部１２２ａは、水平方向への拡散効果を有する単位レンズが複数配列され、形成されている。単位レンズは、断面が略楕円形状の出射側に突出した形状であり、入射した光の少なくとも一部を屈折する屈折面を有する単位光学形状である。
光吸収部１２２ｃは、レンチキュラー基材部１２２ｂの出射側の面の映像光が通過しない領域に、透過型スクリーン１００の垂直方向の縞状に配置されている。
【００３９】
第２の飛散防止層１２３は、第２のガラス基板１２１の出射側に接合層１２４−２を介して一体的に接合され、第２のガラス基板１２１が割れる等したときに飛散を防止する機能を有する部材である。
この第２の飛散防止層１２３は、ポリエチレンテレフタレート樹脂等に拡散材としてガラスビーズを略均一に混合して形成された厚さ１８８μｍのシート状の部材であり、光を拡散させる拡散部としての機能を有する。
【００４０】
本発明によるレンチキュラーレンズシート１２０と、フレネルレンズシート１１０とを組み合わせて、１組の透過型スクリーン１００とすることにより、以下に示す効果が得られる。
フレネルレンズシート１１０及びレンチキュラーレンズシート１２０は、その基板として、第１、第２のガラス基板１１１，１２１が用いられている。よって、温度や湿度等、環境の変化による反りや浮き、自重による撓みが生じ難く、画像の歪みを防止でき、平面性が高いことにより高画質の画像を得られる透過型スクリーンを提供できる。
【００４１】
また、フレネルレンズシート１１０、レンチキュラーレンズシート１２０は、その第１及び第２のガラス基板１１１，１２１の両面に、それぞれ第１及び第３の飛散防止層１１２，１１３、第２及び第４の飛散防止層１２３，１２２が一体的に積層されているため、フレネルレンズシート１１０、レンチキュラーレンズシート１２０を単体で扱う作業中に、事故等で第１及び第２のガラス基板１１１，１２１が破損した場合に、破片が飛散することを防止でき、安全である。
【００４２】
さらに、透過型スクリーン１００は、このようなフレネルレンズシート１１０、レンチキュラーレンズシート１２０を用いることにより、透過型スクリーン１００の最入射側面及び最出射側面は、飛散防止層で覆われる形態となる。従って、透過型スクリーン１００は、衝突等の事故により第１及び第２のガラス基板１１１，１２１にひびが入ったり、割れたりした場合に、その破片が飛散することを防止でき、安全である。
【００４３】
第１の飛散防止層１１２は、反射防止機能を有する反射防止シートであるので、透過型スクリーン１００に映像光Ｌが入射するときに、透過型スクリーン１００の最入射側面（最光源部側面）で反射することにより生じる迷光を低減する。よって、そのようにして生じた迷光が、再びミラー部３１で反射して透過型スクリーン１００に入射することにより生じる二重像（ゴースト）の発生を低減し、画質を向上させることができる。
【００４４】
レンチキュラー基材部１２２ｂ及び第２の飛散防止層１２３は、ガラスビーズを拡散材として略均一に混合して拡散部としての機能を付与することにより、視野角の拡大や、拡散の均一性の向上等の効果に加え、ＤＭＤ等、光源部２１が単管方式の光源の場合に生じやすいシンチレーション（画面のぎらつき）を低減することができ、高画質の画像を観察者に提供できる。
【００４５】
また、フレネル基材部１１３ｂ、レンチキュラー基材部１２２ｂは、拡散材としてガラスビーズを略均一に混合して拡散部としての機能を付与することにより、拡散効果を有する拡散層を別層で設けずともよく、透過型スクリーン１００全体の層数を減らすことができる。よって、透過型スクリーン１００を薄く、軽量化でき、その工程も簡単にすることができる。
【００４６】
（実施例１の変形例）
（１）図４は、実施例１の透過型スクリーンにおけるフレネルレンズシートの変形例の層構成を模式的に示した図である。
図中において、白抜きの円が分布した層は、光を拡散させる拡散材を含むことを示す。また、境界部分が微少な曲線により表示された層は、その層の表面に微細な凹凸形状が設けられていることを示す。
本実施例において、フレネルレンズシート１１０は、フレネル基材部１１３ｂに、ガラスビーズを拡散材として略均一に混合し、拡散部としての機能を付与しているが、拡散部としての機能を付与する層とその数は、特に限定しない。以下に、拡散部としての機能を付与する層の例を示すが、この限りではない。
フレネルレンズシート１１０は、フレネル基材部１１３ｂに拡散材を混合せず（フレネル基材部１１３ｂ−２）、図４（ａ）に示すように、第１のガラス基板１１１と第１の飛散防止層１１２との間に設けられた接合層１１４−１に拡散材を混合し、拡散部（接合層１１４−１−２）としてもよいし、図４（ｂ）に示すように、第１のガラス基板１１１と第３の飛散防止層１１３との間に設けられた接合層１１４−２に拡散材を略均一に混合して拡散部（接合層１１４−２−２）としてもよい。
【００４７】
フレネルレンズシート１１０は、図４（ｃ）に示すように、フレネル基材部１１３ｂに拡散材を混合せず、その入射側表面に微細な凹凸形状を設けることにより拡散効果を持たせて拡散部（フレネル基材部１１３ｂ−３）としてもよい。このとき、フレネル基材部１１３ｂ−３と接合層１１４−２との屈折率差は、拡散効果を付与する場合には、大きいほうが好ましい。また、この例に限らず、層の表面に微細な凹凸形状を設けて拡散部としての機能を付与する場合は、凹凸形状が設けられた面で接する２つの層の屈折率差はできるだけ大きいほうが拡散効果は大きくなり、好ましい。
【００４８】
図４（ｄ）に示すように、フレネルレンズシート１１０は、フレネル基材部１１３ｂに拡散材を混合せず（フレネル基材部１１３ｂ−２）、第１の飛散防止層１１２−２に、垂直方向に光を拡散させる効果を有するレンチキュラーレンズ部１１２ａ−２とレンチキュラー基材部１１２ｂ−２とを設けてもよい。また、図示しないが、第１の飛散防止層１１２−２は、出射側に突出し、断面が略三角形状であり、垂直方向に光を拡散させる効果を有するプリズム形状を複数配列してもよい。
【００４９】
さらに、図４（ｅ）に示すように、フレネルレンズシート１１０は、フレネル基材部１１３ｂに拡散材を混合せず（フレネル基材部１１３ｂ−２）、第１の飛散防止層１１２に、ポリエチレンテレフタレート樹脂に拡散材としてガラスビーズを略均一に混合して形成された厚さ１８８μｍの層を積層して拡散部（第１の飛散防止層１１２−３）としてもよいし、汎用の拡散シートを積層して拡散部としてもよい。また、図示しないが、第１の飛散防止層１１２は、その入射側表面に微細な凹凸形状を設けて拡散部としてもよい。
【００５０】
（２）図５、図６、図７は、本発明によるレンチキュラーレンズシートの実施例１の透過型スクリーンにおける変形例の層構成を模式的に示した図である。
本実施例において、レンチキュラーシート１２０は、レンチキュラー基材部１２２ｂと第２の飛散防止層１２３とに、拡散材としてガラスビーズを略均一に混合して拡散部としての機能を付与する例を示したが、拡散部としての機能を付与する層やその数は、特に限定しない。以下には、拡散部を２ヶ所設ける場合の層構成を示すが、この限りではない。
【００５１】
第２のガラス基板１２１の入射側及び出射側にそれぞれ拡散部を設ける例として、レンチキュラーレンズシート１２０は、レンチキュラー基材部１２２ｂに拡散材を混合せず（レンチキュラー基材部１２２ｂ−２）、図５（ａ）に示すように、ポリエチレンテレフタレート樹脂にガラスビーズ等の拡散材を略均一に混合して形成された厚さ１８８μｍの拡散層１２５−１を第２のガラス基板１２１と第４の飛散防止層１２２との間に、接合層１２４−３，１２４−４を介して積層してもよい。
また、レンチキュラーレンズシート１２０は、前述のように拡散層１２５−１を設け、図５（ｂ）に示すように、第２の飛散防止層１２３に拡散材を混合せず（第２の飛散防止層１２３−２）、第２のガラス基板１２１と第２の飛散防止層１２３−２との間に設けられた接合層１２４−２に拡散材を混合して拡散部（１２４−２−２）としてもよいし、図５（ｃ）に示すように、レンチキュラーレンズシート１２０は、第２の飛散防止層１２３に拡散材を混合せず、その表面に微細な凹凸形状を設けて、拡散部（第２の飛散防止層１２３−３）としてもよい。
【００５２】
レンチキュラーレンズシート１２０は、第２の飛散防止層１２３に拡散材を混合せず（第２の飛散防止層１２３−２）、図５（ｄ）に示すように、第２のガラス基板１２１と第２の飛散防止層１２３−２との間に、接合層１２４−５，１２４−６を介して、拡散層１２５−１と同様の、拡散層１２５-２を積層してもよい。
また、拡散層１２５−２を設け、図５（ｅ）に示すように、レンチキュラー基材部１２２ｂに拡散材を混合せず（レンチキュラー基材部１２２ｂ−２）、第２のガラス基板１２１と第４の飛散防止層１２２との間に設けられた接合層１２４−１に拡散材を略均一に混合して拡散部（接合層１２４−１−２）としてもよい。
さらに、レンチキュラーレンズシート１２０は、拡散層１２５−２を設け、図５（ｆ）に示すように、レンチキュラー基材部１２２ｂに拡散材を混合せず、その表面に微細な凹凸形状を設けて拡散部（レンチキュラー基材部１２２ｂ−３）としてもよい。
【００５３】
拡散層を別層で設けない場合、レンチキュラーレンズシート１２０は、図６（ｇ）に示すように、第２の飛散防止層１２３に拡散材を混合せず、その表面に微細な凹凸形状を設けて拡散部（第２の飛散防止層１２３−３）としてもよい。また、図６（ｈ）に示すように、レンチキュラーレンズシート１２０は、第２の飛散防止層１２３に拡散材を混合せず（第２の飛散防止層１２３−２）、第２のガラス基板１２１と第２の飛散防止層１２３との間に設けられた接合層１２４−２に、拡散材を略均一に混合して拡散部（接合層１２４−２−２）としてもよい。図示しないが、このとき、レンチキュラー基材部１２２ｂは、拡散材を混合せずに、その表面に微細な凹凸形状を設けて拡散部としてもよい。
【００５４】
また、レンチキュラーレンズシート１２０は、レンチキュラー基材部１２２ｂに拡散材を混合せず（レンチキュラー基材部１２２ｂ−２）、図６（ｉ）に示すように、接合層１
２４−１に拡散材を混合して拡散部（接合層１２４−１−２）としてもよいし、図６（ｊ）に示すように、接合層１２４−１に拡散材を混合して拡散部（接合層１２４−１−２）とし、第２の飛散防止層１２３に拡散材を混合せず、その表面に微小な凹凸形状を設けて拡散部（第２の飛散防止層１２３−３）としてもよい。
さらに、レンチキュラーレンズシート１２０は、図６（ｋ）に示すようにレンチキュラー基材部１２３ｂ及び第２の飛散防止層１２３に拡散材を混合せず（レンチキュラー基材部１２２ｂ−２、第２の飛散防止層１２３−２）、第２のガラス基板１２１と第４及び第２の飛散防止層１２２，１２３とを一体的に積層する接合層１２４−１，１２４−２に拡散材を混合して拡散部（接合層１２４−１−２，１２４−２−２）としてもよい。
【００５５】
第２のガラス基板１２１より入射側に拡散部を２ヶ所設ける例として、レンチキュラーレンズシート１２０は、図７（ｌ）に示すように、第２の飛散防止層１２３に拡散材を混合せず（第２の飛散防止層１２３−２）、第２のガラス１２１と第４の飛散防止層１２２との間に拡散層１２５−２を設けてもよい。このとき、図示しないが、レンチキュラー基材部１２２ｂは、拡散材を混合せずに、その表面に微細な凹凸形状を設けて拡散部としてもよい。
【００５６】
以上のような手法を用いて、透過型スクリーン１００全体として、拡散効果を有する拡散部としての機能を、フレネルレンズ部１１３ｂより出射側の隣接しない層に２ヶ所以上に付与すると、視野角の拡大や、拡散の均一性の向上、シンチレーションの低減等の効果が期待でき、画質の向上を図ることができる。
【００５７】
（３）本実施例において、レンチキュラーレンズ部１２２ａは、その断面が略楕円形状である単位レンズが複数配列され、水平方向への拡散効果を有するレンチキュラーレンズである例を示したが、これに限らず、例えば、マイクロレンズアレイ等を用いてもよい。
【００５８】
（４）本実施例において、レンチキュラーレンズシート１２０は、レンチキュラーレンズ部１２２ａ、レンチキュラー基材部１２２ｂは、第４の飛散防止層１２２に設けられる例を示したが、これに限らず、図７（ｍ）に示すように、第２の飛散防止層１２３−４に、レンチキュラーレンズ部１２３ａ−４、レンチキュラー基材部１２３ｂ−４を設けてもよい。
図７（ｍ）において、レンチキュラーレンズシート１２０は、レンチキュラー基材部１２３ｂ−４、第４の飛散防止層１２２−２に拡散材を略均一に混合し、拡散部とする例を示しているが、拡散部としての機能を付与する層と数は、前述の変形例に示した場合と同様に、特に限定しない。
【実施例２】
【００５９】
図８は、本発明による拡散光学シートを用いた実施例２の透過型スクリーンを示した図である。
実施例２の透過型スクリーン４００は、映像光Ｌの入射側に設けられたフレネルレンズシート４１０と、映像光Ｌの出射側に設けられた拡散光学シート４２０とを備え、これらを組み合わせることにより１組のスクリーンとして形成され、実施例１に示した透過型スクリーン１００と同様に、図２に示すリアプロジェクションテレビ１に用いられる。
【００６０】
図９は、本発明による拡散光学シートを用いた実施例２の透過型スクリーンの層構成を模式的に示した図である。
映像光Ｌは、図中の矢印で示され、図中の右側から透過型スクリーン４００に入射し、図中の左側から出射する。また、図中の白抜きの円が分布した層は、光を拡散させる拡散材を含むことを示す。
【００６１】
ここで、フレネルレンズシート４１０は、第１のガラス基板４１１、第１の飛散防止層４１２、第３の飛散防止層４１３、接合層４１４−１，４１４−２を有し、実施例１に示したフレネルレンズシート１１０と同一の部材である。
よって、本実施例のフレネルレンズシート４１０における第１のガラス基板４１１、第１の飛散防止層４１２、第３の飛散防止層４１３、接合層４１４−１，４１４−２は、それぞれ、実施例１のフレネルレンズシート１１０における第１のガラス基板１１１、第１の飛散防止層１１２、第３の飛散防止層１１３、接合層１１４−１，１１４−２に対応しており、同様の機能を有する。従って、重複する説明は省略する。
【００６２】
（拡散光学シート）
拡散光学シート４２０は、透過型スクリーン４００の出射側に設けられ、第２のガラス基板４２１、第２の飛散防止層４２３、第４の飛散防止層４２２、接合層４２４−１，４２４−２を有し、入射した映像光の少なくとも一部を全反射させて拡散する光学シートである。
第２のガラス基板４２１は、光透過性を有し、剛性の高い高剛性基板層である。この第２のガラス基板４２１は、ケイ酸塩ガラスによって形成された厚さ３ｍｍのガラス板であり、波長帯域４００〜７００ｎｍの光の透過率は、９０％以上である。
【００６３】
接合層４２４−１，４２４−２は、第２のガラス基板４２１と、後述する第４及び第２の飛散防止層４２２，４２３とを一体的に接合するための層であり、圧力により粘着性が顕在化する感圧粘着型のアクリル樹脂により形成され、その厚さは２０μｍである。本実施例において、接合層４２４−１，４２４−２は、その厚さを２０μｍとしたが、２０〜３０μｍの範囲であれば、特に限定しない。
【００６４】
第４の飛散防止層４２２は、第２のガラス基板４２１の入射側に接合層４２４−１を介して一体的に積層された部材であり、第２のガラス基板４２１が割れる等したときに、その飛散を防止する機能を有する。
第４の飛散防止層４２２は、予め、拡散光学要素基材部４２２ｂの片面に、実施例１に示したフレネルレンズ部１１３ａと同様に、紫外線硬化樹脂を用いて拡散光学要素４２２ａを形成したものを、第２のガラス基板４２１に積層している。
拡散光学要素基材部４２２ｂは、第４の飛散防止層４２２のベースとなる厚さ２００μｍのシート状の部材であり、ガラスビーズ等の拡散材が混合されたアクリル樹脂により形成され、拡散部としての機能を有する。
【００６５】
図１０は、拡散光学要素の断面図である。
拡散光学要素４２２ａは、拡散光学要素基材部４２２ｂの出射側の面に、実施例１に示したフレネルレンズ１１３ａと同様の紫外線硬化型樹脂により形成された複数の単位光学形状４２２ｃが出射側に突出して配列され、形成されている。
この単位光学形状４２２ｃは、図１０に示すように、その断面が略台形の出射側に突出した形状であり、隣接する単位光学形状との間の断面が三角形状の部分には、光を吸収する光吸収部４２２ｄが形成されている。この光吸収部４２２ｄは、光学形状４２２ｃに比べて屈折率の低い材料により形成されている。
拡散光学要素４２２ａは、単位光学形状４２２ｃの下底部分から入射した光の少なくとも一部を、単位光学形状４２２ｃの斜辺部分４２２ｅで所定の方向に全反射して上底部分から出射させ、拡散する効果を有する。
【００６６】
第２の飛散防止層４２３は、図９に示すように、第２のガラス基板４２１の出射側に接合層４２４−２を介して、一体的に積層された層であり、第２のガラス基板４２１が破損したときに、飛散を防止する機能を有している。
この第２の飛散防止層４２３は、ポリエチレンテレフタレート樹脂等にガラスビーズを拡散材として略均一に混合して形成された厚さ１８８μｍのシート状の部材であり、拡散部としての機能を有する。
【００６７】
本発明による拡散光学シート４２０と、フレネルレンズシート４１０とを備えることにより、実施例２の透過型スクリーン４００は、実施例１に示した透過型スクリーン１００と同様に、温度や湿度等の環境の変化による反りや浮き、自重による撓み等が生じ難い、平面性の高い透過型スクリーンとなり、高画質の画像を提供できる。
また、実施例２の透過型スクリーン４００は、実施例１に示した透過型スクリーン１００と同様に、第１及び第２のガラス基板４１１，４２１が、割れる等した場合の破片の飛散を防止でき、安全である。
さらに、拡散光学シート４２０に用いられた拡散光学要素４２２ａは、製造が容易であり、高精細のものを作ることができるので、低いコストで、高画質の画像を得られる拡散光学シート及び透過型スクリーンを提供できる。
【００６８】
さらにまた、拡散光学シート４２０は、ファインピッチが可能であるので、実施例２の透過型スクリーン４００は、実施例１に示したレンチキュラーレンズシート１２０を用いた透過型スクリーン１００に比べて、高精細、高品位の画像を提供できる。
【００６９】
（実施例２の変形例）
（１）本実施例のフレネルレンズシート４１０は、実施例１に示したフレネルレンズシート１１０と同一の部材である。よって、本実施例のフレネルレンズシート４１０は、その変形例として、実施例１に示したフレネルレンズシート１１０の変形例を用いることができる。
（２）本実施例の拡散光学シート４２０は、拡散光学要素基材部４２２ｂの入射側表面に、断面が入射側に突出した略三角形状であり、垂直又は水平方向に光を拡散させる不図示のプリズム形状を複数配列してもよいし、拡散光学要素基材部４２２ｂの入射側表面に、不図示の微細な凹凸形状を設けてもよい。このようなプリズム形状又は凹凸形状を設けることにより、透過型スクリーン４００の観察面側（出射側）から入射した外光が、プリズム形状又は凹凸形状の入射側界面で反射し、光吸収部４２２ｄにより吸収されるので、外光によるコントラストの低下等の画質の劣化を低減できる。
【００７０】
（３）本実施例において、拡散光学シート４２０は、第２の飛散防止層４２３と拡散光学要素基材部４２２ｂとに、ガラスビーズを拡散材として略均一に混合し、拡散部としての機能を付与する例を示したが、拡散部としての機能が付与される層やその数は、特に限定しない。以下に、例を示すが、これに限定されるものではない。
拡散光学シート２４０は、拡散光学要素基材部４２２ｂに拡散材を混合して拡散部とする場合、第２の飛散防止層４２３ではなく、接合層４２４−１又は接合層４２４−２に拡散材を混合し、拡散部としてもよい。
また、拡散光学シート４２０は、第２の飛散防止層４２３が拡散部としての機能を有する場合、拡散光学要素基材部４２２ｂではなく、接合層４２４−１又は接合層４２４−２に拡散材を混合して拡散部としてもよい。
さらに、拡散光学シート４２０は、例えば、拡散光学要素基材部４２２ｂ等に拡散材を混合して拡散部とし、第２の飛散防止層４２３に汎用の反射防止シート等を積層し、ポリエチレンテレフタレート樹脂に拡散材を略均一に混合して形成した不図示の拡散層を、第２のガラス基板４２１と第２の飛散防止層４２３との間、または、第２のガラス基板４２１と第４の飛散防止層４２２との間に積層してもよい。このとき、第２の飛散防止層４２３は、防眩シート等を用いてもよい。
【００７１】
（４）図１１は、本発明による拡散光学シートの変形例の層構成を模式的に示した図である。
本実施例において、拡散光学シート４２０は、拡散光学要素４２２ａ及び拡散光学要素基材部４２２ｂを、第４の飛散防止層４２２に設ける例を示したが、これに限らず、例えば、図１１（ａ）に示すように、第２の飛散防止層４２３−２に、拡散光学要素４２３ａ−２、拡散光学要素基材部４２３ｂ−２を設けてもよい。このとき、透過型スクリーン４００は、その最出射側に、拡散光学部４２３ｂ−２の光吸収部が設けられる形となり、画像のコントラストの向上の効果が期待できる。
図１１（ａ）において、拡散光学シート４２０は、第２の飛散防止層に設けられた拡散光学要素基材部４２３ｂ−２と第４の飛散防止層４２２−２とに拡散材を混合し、拡散部とする例を示しているが、拡散部としての機能が付与される層や数はこれに限らず、特に限定しない。
また、このとき、図１１（ｂ）に示すように、拡散光学シート４２０は、拡散光学要素４２３ａ−２の出射側に、ポリエチレンテレフタレート樹脂等に拡散材を混合して形成された拡散層４２５を、接合層４２４−３を介して一体的に積層することにより、拡散を均一化し、画質の向上を図ってもよい。また、拡散層４２５ではなく、汎用の拡散シート等を積層してもよい。
【実施例３】
【００７２】
図１２は、本発明によるレンチキュラーレンズシートを用いた実施例３の透過型スクリーンを示す図である。
図１３は、実施例３の透過型スクリーンを用いたリアプロジェクションテレビの断面図である。
実施例３の透過型スクリーン２００は、図１２に示すように、光源部２２側にプリズムシート２１０を備え、観察面側にとレンチキュラーレンズシート２２０を備え、これらを組み合わせることにより１組のスクリーンとして、図１３に示すリアプロジェクションテレビ２に用いられる。
リアプロジェクションテレビ２は、図１３に示すように、光源部２２、ミラー部３２、透過型スクリーン２００を備えた背面投射型表示装置である。光源部２２は、ＤＭＤを用いた単管方式の光源であり、透過型スクリーン２００の下方から映像光Ｌを投射する。そのため、映像光Ｌが透過型スクリーン２００に入射する入射角度は、リアプロジェクションテレビ１に比べて大きい。
【００７３】
図１４は、本発明によるレンチキュラーレンズシートを用いた実施例３の透過型スクリーンの層構成を模式的に示す図である。
映像光Ｌは、図中の矢印で示され、図中の右側から透過型スクリーン２００に入射し、図中の左側から出射する。また、図中の白抜きの円が分布した層は、光を拡散させる拡散材が混合されていることを示す。
レンチキュラーレンズシート２２０は、透過型スクリーン２００の出射側に設けられ、第２のガラス基板２２１、第４の飛散防止層２２２、第２の飛散防止層２２３、接合層２２４−１，２２４−２を有する拡散光学シートである。このレンチキュラーレンズシート２２０は、実施例１のレンチキュラーレンズシート１２０と同一の部材であり、それぞれの層は、実施例１における第１のガラス基板１２１、第４の飛散防止層１２２、第２の飛散防止層１２３、接合層１２４−１，１２４−２に対応し、同様の機能を有する。よって、重複する説明は省略する。
【００７４】
（プリズムシート）
プリズムシート２１０は、図１４に示すように、第１のガラス基板２１１、第１の飛散防止層２１２、第３の飛散防止層２１３、接合層２１４−１，２１４−２を有し、透過型スクリーン２００の入射側に設けられている。
第１のガラス基板２１１は、光透過性を有し、剛性の高い高剛性基板層である。この第１のガラス基板２１１は、ケイ酸塩ガラスにより形成された厚さ３ｍｍのガラス板であり、波長帯域４００〜７００ｎｍの光の透過率が９０％以上である。
接合層２１４−１，２１４−２は、第１のガラス基板２１１と第１の飛散防止層２１２、第３の飛散防止層２１３とを一体的に接合するための層であり、圧力により粘着性が顕在化する感圧粘着型のアクリル樹脂により形成され、その厚さは２０μｍである。
【００７５】
第１の飛散防止層２１２は、第１のガラス基板２１１の入射側に接合層２１４−１を介して、一体的に積層された部材であり、第１のガラス基板２１１が破損したときに飛散を防止する機能を有する。
この第１の飛散防止層２１２ｂは、予め、プリズム基材部２１２ｂの片面に、実施例１に示したフレネルレンズ部１１３ａと同様に、紫外線硬化樹脂を用いてプリズム部２１２ａが形成され、第１のガラス基板２１１に積層されている。
プリズム基材部２１２ｂは、第１の飛散防止層２１２のベースとなる厚さ２００μｍのシート状の部材であり、ガラスビーズを拡散材として混合したアクリル樹脂により形成され、拡散部としての機能を有する。
【００７６】
図１５は、プリズム部の断面図である。
プリズム部２１２ａは、図１５に示すように、映像光Ｌが入射する入射面２１２ｃと、入射面２１２ｃから入射した光の少なくとも一部が全反射する全反射面２１２ｄとを有する複数の単位プリズム２１２ｅが、図１２に示すように、プリズムシート２１０の外部にある同心円の中心Ｐから同心円状に配列され、形成されている。
【００７７】
第３の飛散防止層２１３は、図１４に示すように、第１のガラス基板２１１の出射側に、接合層２１４−２を介して一体的に積層された部材であり、第１のガラス基板２１１が破損した場合に飛散を防止する機能を有する。
この第３の飛散防止層２１３は、ポリエチレンテレフタレート樹脂等にガラスビーズ等を拡散材として混合して形成された、厚さ１８８μｍのシート状の部材であり、拡散部としての機能を有する。
【００７８】
本発明によるレンチキュラーレンズシート２２０と、プリズムシート２１０とを備えた実施例２の透過型スクリーン２００は、平面性の向上による画質の向上効果、第１及び第２のガラス基板２１１，２２１が割れる等した場合の破片の飛散防止効果等に加え、以下に示す効果が得られる。
リアプロジェクションテレビ２は、光源部２２が透過型スクリーン２００の下方に設けられるため、光源部２２から投射された映像光の入射角度が大きい。しかし、プリズム部２１２ａを透過型スクリーン２００の入射側に設けることにより、入射した映像光を全反射させ、観察面側（出射側）へ略平行光として出射できるので、奥行きを小さくし、薄型にすることができる。
【００７９】
また、リアプロジェクションテレビ２は、映像光Ｌの入射角度が大きいため、透過型スクリーン２００の僅かな反りや浮き等により生じる画像の劣化の影響は、実施例１のリアプロジェクションテレビ１に比べて非常に大きい。特に、透過型スクリーンの上辺部等、光源部２２から遠い点になるほど、透過型スクリーンの浮き等による画質への影響は大きい。
【００８０】
しかし、プリズムシート２１０及び本発明によるレンチキュラーレンズシート２２０は、それぞれ、第１のガラス基板２１１、第２のガラス基板２２１に一体的に積層され、形成されているので、透過型スクリーン２００は、温度や湿度等の環境の変化による反りや浮き、自重による撓み等が生じ難く、平面性が向上するので、リアプロジェクションテレビ２のように映像光Ｌの入射角度が大きい場合にも、観察者に高画質の画像を提供できる。
【００８１】
（実施例３の変形例）
（１）本実施例のレンチキュラーレンズシート２２０は、実施例１に示したレンチキュラーレンズシート１２０と同一の部材であるので、レンチキュラーレンズシート２２０は、その変形例として、レンチキュラーレンズシート１２０の変形例を用いることが可能である。
【００８２】
図１６は、実施例３の透過型スクリーンにおけるプリズムシートの変形例の層構成を模式的に示した図である。
（２）本実施例のプリズムシート２１０は、プリズム基材部２１２ｂ、第３の飛散防止層にガラスビーズ等の拡散材を略均一に混合し、拡散部とする例を示したが、これに限らず、プリズムシート２１０において、拡散部としての機能を付与する層及びその数は、特に限定しない。
例えば、プリズムシート２１０は、図１６に示すように、プリズム基材部２１２ｂに拡散材を混合せず（プリズム基材部２１２−ｂ）、接合層２１４−１に拡散材を略均一に混合して拡散部（接合層２１４−１―２）としてもよいし、図示しないが、接合層２１４−２に拡散材を混合して拡散部としてもよい。
また、プリズムシート２１０は、図示しないが、プリズム基材部２１２ｂに拡散材を混合せず、第３の飛散防止層２１３の表面に微細な凹凸形状を設けて拡散部としてもよいし、第３の飛散防止層２１３に、汎用の拡散シート等を用いてもよいし、透過型スクリーン２００の垂直方向に光を拡散する、弱い拡散効果を有するレンチキュラーレンズが形成された光学シート等を用いてもよい。
【実施例４】
【００８３】
図１７は、本発明による拡散光学シートを用いた実施例４の透過型スクリーンを示す図である。
本発明による実施例４の透過型スクリーン５００は、光源部２２側（入射側）に設けられたプリズムシート５１０と、観察面側（出射側）に設けられた拡散光学シート５２０とを備え、１組のスクリーンとして形成されている。
また、この透過型スクリーン５００は、実施例３の透過型スクリーン２００と同様に、図１３に示すリアプロジェクションテレビ２に用いられる。
図１８は、実施例４の透過型スクリーンの層構成を模式的に示した図である。
映像光Ｌは、図中の矢印で示され、図中の右側から透過型スクリーン５００に入射し、図中の左側から出射する。また、図中において、白抜きの円が分布して示された層は、拡散材を含むことを示す。
【００８４】
プリズムシート５１０は、実施例３に示したプリズムシート２１０と同一の部材であり、本実施例のプリズムシート５１０における第１のガラス基板５１１、第１の飛散防止層５１２、第３の飛散防止層５１３、接合層５１４−１，５１４−２は、それぞれ、実施例３のプリズムシートにおける第１のガラス基板２１１、第１の飛散防止層２１２、第３の飛散防止層２１３、接合層２１４−１，２１４−２に対応し、同様の機能を有する。よって、重複する説明は省略する。
【００８５】
拡散光学シート５２０は、実施例２に示した拡散光学シート４２０と同一の部材であり、本実施例の拡散光学シート５２０における第２のガラス基板５２１、第２の飛散防止層５２３、第４の飛散防止層５２２、接合層５２４−１，５２４−２は、それぞれ、実施例２の拡散光学シート４２０における第２のガラス基板４２１、第２の飛散防止層４２３、第４の飛散防止層４２２、接合層４２４−１，４２４−２に対応し、同様の機能を有する。よって、重複する説明は省略する。
【００８６】
本発明による拡散光学シート５２０とプリズムシート５１０とを備えた実施例４の透過型スクリーン５００は、実施例１に示した透過型スクリーン１００と同様に、温度や湿度等の環境の変化により反りや浮き、自重による撓み等が生じ難い、平面性の高い透過型スクリーンとなり、観察者に高画質の画像を提供することができる。
また、実施例４の透過型スクリーン５００は、その最入射側面及び最出射側面が、第１及び第２の飛散防止層５１２，５２３に覆われた形態となり、事故等により第１、第２のガラス基板が５１１，５２１が破損した場合に、その破片が飛散せず安全である。
【００８７】
さらに、実施例４の透過型スクリーン５００は、プリズムシート５１０を入射側に設けたことにより、図１３に示すように、透過型スクリーンへの映像光Ｌの入射角度が大きい場合にも、映像光Ｌを出射側に略平行光として出射できるので、リアプロジェクションテレビの奥行きを小さく、薄型化することができる。
さらにまた、拡散光学シート５２０に用いられた拡散光学要素５２２ａは、製造が容易であり、高精細のものが製造できるので、高画質の像が得られる透過型スクリーンを、低コストで提供できる。
【００８８】
図１３に示すリアプロジェクションテレビ２のように、透過型スクリーンへの映像光の入射角度が大きい場合、透過型スクリーンの外周部は、屈折率の波長分散による色分散が発生し、色むらが生じることが問題となる。しかし、このようなプリズムシート５１０と拡散光学シート５２０とは、光を反射させて出射するので、色分散は発生せず、色むらを低減できる。
【００８９】
（実施例４の変形例）
本実施例の透過型スクリーン５００に用いられたプリズムシート５１０は、実施例３に示したプリズムシート２１０と同一の部材である。よって、プリズムシート５１０は、その変形例として、プリズムシート２１０の変形例を用いることができる。
また、本実施例の透過型スクリーン５００に用いられた拡散光学シート５２０は、実施例２に示された拡散光学シート４２０と同一の部材である。よって、拡散光学シート５２０は、その変形例として、拡散光学シート４２０の変形例を用いることができる。
【実施例５】
【００９０】
図１９は、本発明による拡散光学シートを用いた実施例５の透過型スクリーンを示した図である。
本発明による拡散光学シートを用いた実施例５の透過型スクリーン３００は、実施例２に示した拡散光学要素４２２ａと同様の拡散光学要素３１３ａを、第２の飛散防止層３１３に有する。
映像光Ｌは、図中の矢印で示され、図中の右側から透過スクリーン３００に入射し、図中の左側から出射する。図中において、白抜きの円が分布した層は、光を拡散させる拡散層を含むことを示す。
しかし、実施例５の透過型スクリーン３００は、別体のプリズムシートを入射側に設けず、拡散光学要素３１３ａを有する第２の飛散防止層３１３が積層されたガラス基板３１１の入射側に、実施例３に示したプリズム部２１２ａと同様のプリズム部３１２ａを一体的に積層することにより、１枚の透過型スクリーン３００として形成されている。
また、本実施例の透過型スクリーン３００は、実施例３に示した透過型スクリーン２００と同様に、図１３に示すような、リアプロジェクションテレビ２に用いられる。
【００９１】
図２０は、本発明による拡散光学シートを用いた実施例５の透過型スクリーンの層構成を模式的に示した図である。
実施例５の透過型スクリーン３００は、ガラス基板３１１、第１の飛散防止層３１２、第２の飛散防止層３１３、接合層３１４−１．３１４−２を有する拡散光学シートである。
ガラス基板３１１は、光透過性を有し、剛性の高い高剛性基板層である。このガラス基板３１１は、ケイ酸塩ガラスにより形成された厚さ３ｍｍのガラス板であり、波長帯域４００〜７００の光の透過率が９０％以上である。
【００９２】
接合層３１４−１，３１４−２は、ガラス基板３１１と、第１及び第２の飛散防止層３１２，３１３とを一体的に接合するための層であり、感圧接着型のアクリル樹脂等により形成され、その厚さは２０μｍの層である。
【００９３】
第１の飛散防止層３１２は、ガラス基板３１１の入射側に接合層３１４−１を介してガラス基板３１１に一体的に積層された層であり、ガラス基板３１１が破損したときに、飛散を防止する機能を有する。
この第１の飛散防止層３１２は、予め、プリズム基材部３１２ｂの片面に、実施例１に示したフレネル部１１３ａと同様に、紫外線硬化樹脂によりプリズム部３１２ａを一体的に形成したものを、ガラス基板３１１に積層している。
【００９４】
プリズム基材部３１２ｂは、第１の飛散防止層３１２のベースとなる厚さ２００μｍのシート状の部材である。このプリズム基材部３１２ｂは、拡散材としてガラスビーズが略均一に混合されたアクリル樹脂により形成されており、拡散部としての機能を有する。
プリズム部３１２ａは、実施例３に示したプリズム部２１２ｂと同様の形状であり、光が入射する入射面と、入射面からの光の少なくとも一部を全反射させ、出射側へ出射する全反射面とを有する単位プリズムが複数配列され、形成されている。
【００９５】
第２の飛散防止層３１３は、ガラス基板３１１の出射側に接合層３１４−２を介して一体的に積層された層であり、ガラス基板３１１が破損したときに、飛散を防止する機能を有する。
この第２の飛散防止層３１３は、予め、拡散光学要素基材部３１３ｂの片面に、実施例１に示したフレネルレンズ部１１３ａと同様に、紫外線硬化樹脂を用いて拡散光学要素３１３ａを形成したものを、ガラス基板３１１に積層している。
【００９６】
拡散光学要素基材部３１３ｂは、第２の飛散防止層３１３のベースとなる厚さ２００μｍのシート状の部材であり、拡散材としてガラスビーズを混合したアクリル樹脂により形成され、拡散部としての機能を有する。
拡散光学要素３１３ａは、拡散光学要素基材部３１３ｂの出射側の面に形成され、実施例２に示した拡散光学要素４２２ａと同様の形状であり、断面が略台形の凸型形状である複数の単位光学形状が出射側に突出して配列され、形成されている。
【００９７】
このような層構成とすることにより、実施例５の透過型スクリーン３００は、実施例１で示した、平面性の向上、ガラス基板３１１が破損した場合の破片の飛散防止効果に加え、以下のような効果が得られる。
実施例５の透過型スクリーン３００は、それぞれ別体のプリズムシートと拡散光学シートとを組み合せることなく、１枚で透過型スクリーンとして使用できるので、透過型スクリーンを薄くし、軽量化することができ、また、生産コストを抑えることができる。
【００９８】
また、それぞれ別体のプリズムシートと拡散光学シートとを組み合わせた透過型スクリーンは、どちらか１枚のシートに反り等が生じただけでも、シート間に浮きが生じるため、像ぼけ等の画像の劣化が生じるという問題がある。しかし、本実施例の透過型スクリーン３００は、１枚で透過型スクリーンとして利用でき、その平面性も高いので、浮き等が生じて画質の劣化を防止できる。
【００９９】
リアプロジェクションテレビ２は、光源部２２から投射される映像光Ｌの入射角度が大きい。しかし、透過型スクリーン３００は、その入射側にプリズム部３１２ａを設けることにより、映像光を観察面側（出射側）へ略平行光として出射できるので、リアプロジェクションテレビ２の奥行きを小さく、薄型化できる。
【０１００】
（実施例５の変形例）
（１）本実施例において、第２の飛散防止層３１３は、その断面が略台形の凸型形状である単位光学形状が複数配列された拡散光学要素３１３ａを有する例を示したが、これに限らず、その断面が略楕円状である複数の単位レンズを配列した不図示のレンチキュラーレンズ部等を設けてもよく、その形状は特に限定しない。また、レンチキュラーレンズ部に限らず、強い拡散効果を有する拡散層や、汎用の拡散シート等を用いてもよい。
【０１０１】
（２）図２１、図２２は、実施例５の透過型スクリーンの変形例の層構成を模式的に示した図である。
本実施例において、透過型スクリーン３００は、プリズム基材部３１２ｂ、拡散光学要素基材部３１３ｂに、ガラスビーズを拡散材として混合し、拡散部としての機能を付与する例を示したが、拡散部としての機能を付与する層やその数は特に限定しない。以下に例を示すが、この限りではない。
例えば、透過型スクリーン３００は、図２１（ａ）に示すように、ポリエチレンテレフタレート樹脂等にガラスビーズ等の拡散材を混合して形成された厚さ１８８μｍの拡散層３１５−１を、第２の飛散防止層３１３より出射側に接合層３１４−３を介して新たに積層し、拡散の均一性の向上等を図ってもよい。拡散層３１５−１は、汎用の拡散シート等を用いてもよい。
また、透過型スクリーン３００は、例えば、図２１（ｂ）に示すように、第１の飛散防止層３１２とガラス基板３１１との間に、接合層３１４−４，３１４−５を介して、前述の拡散層３１５−１と同様の拡散層３１５−２を新たに積層してもよい。
【０１０２】
図２２に示す実施例５の透過型スクリーン３００の変形例は、実施例５に示した拡散光学要素３１３ａ、拡散光学要素基材部３１３ｂと同様の拡散光学要素３１６ａ、拡散光学要素基材部３１６ｂを有する拡散光学層３１６が、第１の飛散防止層３１３とガラス基板３１１との間に、一体的に接合される例である。
透過型スクリーン３００は、図２２（ｃ）に示すように、光を拡散させる拡散部としての機能を有する拡散光学層３１６を、第１の飛散防止層３１２とガラス基板３１１との間に、接合層３１４−６，３１４−７を介して積層してもよい。このとき、第２の飛散防止層３１３−２は、拡散材を混合して拡散部（第２の飛散防止層３１３−２−２）としてもよい。
また、透過型スクリーン３００は、図示しないが、ガラス基板３１１の出射側に接合層３１４−８を介して一体的に積層された第２の飛散防止層３１３−２に、反射防止機能を有する反射防止シートや防眩機能を有する防眩シート等を積層してもよい。さらに、図示しないが、透過型スクリーン３００は、第２の飛散防止層３１２−２ではなく、接合層３１４−８に拡散材を略均一に混合して拡散部としてもよい。
【０１０３】
透過型スクリーン３００は、図２２（ｄ）に示すように、拡散光学層３１６とガラス基板３１１との間に、接合層３１４−９，３１４−１０を介して、拡散効果を有する拡散層３１５−３を積層し、第２の飛散防止層３１３−２に、反射防止機能を有する反射防止シートや防眩機能を有する防眩シート等を積層してもよい。
このとき、ガラス基板３１１と第２の飛散防止層３１３−２との間の接合層３１４−８は、拡散材を略均一に混合して拡散部（接合層３１４−８−２）としてもよい。  
【０１０４】
さらに、透過型スクリーン３００は、図２２（ｅ）に示すように、拡散層３１５−３を設け、第２の飛散防止層３１３−２とガラス基板３１１との間に、接合層３１４−１１，３１４−１２を介して、拡散層３１５−４を積層してもよい。このとき、第２の飛散防止層３１３−２は、汎用の反射防止シート、防眩シート等を積層してもよい。
【０１０５】
（実施例１から実施例５に共通する変形例）
以上説明した実施例に限定されることなく、種々の変形や変更が可能であって、それらも本発明の均等の範囲内である。
（１）図２３は、本発明によるレンチキュラーレンズシートを用いた透過型スクリーンの変形例の層構成を模式的に示した図である。
実施例１において、透過型スクリーン１００に用いられるフレネルレンズシート１１０は、第１のガラス基板１１１を用いる例を示したが、これに限らず、図２３に示すようなプラスチック樹脂により形成されたプラスチック基板１３１の表面に、紫外線硬化型樹脂により、フレネルレンズ部１１３ａと略同形状のフレネルレンズ部１３２を形成したフレネルレンズシート１３０を用いてもよい。
プラスチック基板１３１は、例えば、アクリル樹脂、ポリスチレン樹脂、メチルメタクリレートスチレン共重合樹脂（ＭＳ樹脂）、メチルメタクリレートブタジエンスチレン共重合樹脂（ＭＢＳ樹脂）等により形成された厚さ２ｍｍの板状の部材である。このプラスチック基板１３１は、図２３に示すように、ガラスビーズ等の拡散材を混合することにより、拡散部としての機能を付与してもよい。プラスチック基板１３１に拡散材を混合することは、技術的に容易であり、生産コストを抑えることができる。
【０１０６】
このとき、フレネルレンズシート１３０は、プラスチック基板１３１を用いているため、透過型スクリーンの軽量化が可能であるが、環境の変化等による反りや浮き等が生じやすい。これを防止するために、フレネルレンズシート１３０は、レンチキュラーレンズシート１２０側に凸状となる曲率を設けて、１組の透過型スクリーンとしてもよい。このように設けることにより、フレネルレンズシート１３０は、その平面性を保つことができる。
また、実施例２に示したフレネルレンズシート４１０、実施例３及び実施例４に示したプリズムシート２１０，５１０も、同様に、ガラス製の基板を用いず、プラスチック製の基板の表面に紫外線硬化型樹脂等によりフレネルレンズ部、プリズム部を一体的に形成したフレネルレンズシート、プリズムシートとしてもよい。
【０１０７】
（２）各実施例において、光を拡散させる拡散部としての機能を付与する手法として、フレネル基材部１１３ｂ，４１３ｂ、プリズム基材部２１２ｂ，３１２ｂ，５１２ｂ、レンチキュラー基材部１２２ｂ，２２２ｂ、拡散光学要素基材部３１３ｂ，４２２ｂ，５２２ｂ、第２の飛散防止層１２３，２２３，４２３，５２３、第３の飛散防止層２１３，５１３に、拡散材としてガラスビーズを略均一に混合して拡散効果を持たせ、拡散部としての機能を付与する例を示した。しかし、これに限らず、例えば、接合層１１４−１，１１４−２，１２４−１，１２４−２，２１４−１，２１４−２，２２４−１，２２４−２，３１４−２，３１４−２，４１４−１，４１４−２，４２４−２，４２４−２，５１４−１，５１４−２，５２４−１，５２４−１等に拡散材を略均一に混合して拡散部としての機能を付与してもよい。
また、これら層の表面に微細な凹凸形状を設けることにより拡散効果を持たせ、拡散部としての機能を付与してもよい。このとき、微細な凹凸形状を設ける面を介して隣接する２つの層は、その屈折率差が大きい方が拡散効果は大きくなり、好ましい。
さらに、拡散材は、ガラスビーズに限らず、光の波長に依存しない大きさであれば、例えば、プラスチック等の有機系化合物により形成された粒子等でもよく、特に限定はしない。
【０１０８】
（３）各実施例において、拡散効果を有する拡散部は、透過型スクリーン１００，２００，３００，４００，５００全体として、隣接しない層に２層以上設けられれば、視野角拡大等の効果に加え、シンチレーション（画面のぎらつき）の低減効果が期待できる。また、拡散部は、２層以上に分散して設けることにより、混合する拡散材の量を減らすことができる。
なお、拡散部としての機能を付与する層は、特に限定しないが、第１、第２のガラス基板１１１，１２１，２１１，２２１，３１１，４１１，４２１，５１１，５２１は、拡散材を混合させると、脆くなり、割れやすくなるので好ましくない。
【０１０９】
（４）各実施例において、光源部２１，２２は、ＤＭＤを用いた単管方式の光源である例を示したが、これに限らず、例えば、ＬＣＤ等を用いた単管方式の光源でもよい。また、実施例１において、光源部２１は、ＣＲＴを用いた３管方式の光源としてもよい。
【０１１０】
（５）各実施例において、フレネル基材部１１３ｂ，４１３ｂ、プリズム部２１２ｂ，３１２ｂ，５１２ｂ，レンチキュラー基材部１２２ｂ，２２２ｂ、拡散光学要素基材部３１３ｂ，４２２ｂ，５２２ｂは、アクリル樹脂により形成される例を示したが、これに限らず、例えば、ポリエステル樹脂、ポリエチレン樹脂、ポリカーボネート樹脂等で形成してもよく、特にその材料は限定しない。
また、これらの基材部は、光源部２１，２２が、ＬＣＤ等の偏光依存性を有する光源である場合、トリアセチルセルロース等のセルロース系樹脂により形成されたシート状の部材や無延伸のポリカーボネード板等の複屈折性の低い部材を用いて、迷光を低減し、画質の向上を図ってもよい。
【０１１１】
（６）各実施例において、フレネルレンズ部１１３ａ，４１３ａ、拡散光学要素３１３ａ，４２２ａ，５２２ａ、プリズム部２１２ａ，３１２ａ，５１２ａは、紫外線硬化型樹脂により、それぞれ、フレネル基材部１１３ｂ，４１３ｂ、拡散光学要素基材部３１３ｂ，４２２ｂ，５２２ｂ、プリズム基材部２１２ｂ，３１２ｂ，５１２ｂに一体的に形成される例を示し、実施例において、レンチキュラーレンズ部１２２ａ，２２２ａは、熱可塑性樹脂により、レンチキュラー基材部１２２ｂ，２２２ｂに一体的に形成される例を示したが、これに限らず、熱硬化性樹脂を用いて形成してもよい。また、その成形方法は、押し出し成形等により、各基材部と一体的に成形してもよく、特に限定しない。
【０１１２】
（７）実施例１から実施例４において、第２の飛散防止層１２３，２２３，４２３，５２３は、拡散材としてガラスビーズが混合され、拡散部としての機能を有する例を示したが、これに限らず、例えば、反射防止、防眩、着色、減光、紫外線吸収、帯電防止、防汚、センサー、ハードコート等の少なくともひとつの機能を有すればよく、その場合は以下のような効果が期待できる。
第２の飛散防止層１２３，２２３は、最も出射側（最観察面側）に積層されているので、反射防止機能を有する場合は、外光の映り込みを防止する効果がある。紫外線吸収機能を有する場合は、外光に含まれる紫外線により、レンチキュラー基材部１２３ｂ，２２２ｂ等の黄変を防止する効果がある。防眩機能を有する場合は、画面のぎらつきを抑制することができる。ハードコート機能を有する場合は、スクリーンに傷が付くことを防止し、スクリーンの強度をあげる効果がある。帯電防止機能を有する場合は、透過型スクリーンに生じる静電気を除去し、埃等の付着を防止できる。防汚機能を有する場合は、スクリーン表面に汚れが付くことを防止できる。着色及び減光機能を有する場合は、コントラストを向上させ、画質の向上を図ることができる。センサー機能を有する場合は、タッチセンサー等に利用できる。
【０１１３】
また、第２の飛散防止層１２３，２２３，４２３，５２３は、拡散、反射防止、防眩、着色（Ｔｉｎｔ）、減光（ＮＤ）、紫外線吸収、帯電防止、防汚、センサー、ハードコート等の少なくとも１つの機能を有する汎用シートを用いてもよいし、例えば、アクリル樹脂等により形成されたシート状の部材に、これらの機能の少なくとも１つを有するように処理を施してもよい。また、それぞれの機能を有するシート等を複数枚積層してもよいし、複数の機能を有するように処理を施してもよいし、特に限定しない。
さらにまた、第２の飛散防止層１２３，２２３，４２３，５２３に限らず、他の飛散防止層にも、適宜このような機能を持たせてもよい。
【０１１４】
（８）実施例１から実施例３において、第１のガラス基板１１１，４１１、第２のガラス基板１２１，２２２は、ケイ酸塩ガラスにより形成された厚さ２ｍｍのガラス板である例を示し、実施例２から実施例５において第１のガラス基板２１１，５１１、第２のガラス基板４２１，５２１，３１１は、ケイ酸塩ガラスにより形成された厚さ３ｍｍのガラス板である例を示したが、これに限らず、光透過性を有し、剛性が高い材料であるならば、例えば、無アルカリガラス、リン酸塩ガラス、ホウ酸塩ガラス、ソーダ石灰ガラス、カリガラス、石英ガラス、鉛ガラス、バリウムガラス、ホウケイ酸ガラス、リン酸系ガラス等により形成されたガラス板を用いてもよいし、風冷強化や化学強化を施したガラス板を用いてもよい。また、光透過性を有する透光性セラミックス等により形成された板状の部材を用いてもよい。
さらに、基板として用いる部材の厚さは、１．５〜３ｍｍの範囲内であれば、特に限定しない。
【０１１５】
（９）実施例１において、接合層１１４−１，１１４−２，１２４−１，１２４−２は、第１及び第２のガラス基板１１１，１２１と、第１及び第３の飛散防止層１１２，１１３、第２及び第４の飛散防止層１２３，１２２とを一体的に接合するための層として示したが、これに限らず、ガラスビーズ等の拡散材を略均一に混合し拡散部としての機能を付与してもよい。また、透過型スクリーン１００の最出射面側近傍に設けられた接合層１２４−２に、紫外線吸収剤を混合して、外光に含まれる紫外線によるスクリーンの黄変防止を図ってもよい。
実施例２から実施例５に示した接合層２１４−１，２１４−２，２２４−１，２２４−２，３１４−１，３１４−２，４１４−１，４１４−２，４２４−１，４２４−２，５１４−１、５１４−２，５２４−１，５２４−２もこれと同様である。
【０１１６】
（１０）実施例１から実施例３において、接合層１１４−１，１１４−２，１２４−１，１２４−２，２２４−１，２２４−２，４１４−１，４１４−２は、紫外線を照射することにより硬化する紫外線硬化型のアクリル樹脂によって形成された、厚さ１００μｍの層である例を示し、実施例２から実施例５において、接合層２１４−１，２１４−２，３１４−１，３１４−２，４２４−１，４２４−２，５１４−１，５１４−２，５２４−１，５２４−２は、圧力により粘着性が顕在化する感圧粘着型のアクリル樹脂によって形成された、厚さ２０μｍの層である例を示したが、これに限らず、アクリル酸エステル樹脂、フェノール系樹脂等により形成してもよく、特に限定しない。また、その接合方法は、例えば、熱硬化型、紫外線硬化型（ＵＶ硬化型）、電子線硬化型（ＥＢ硬化型）、感圧粘着型（ＰＳＡ）等、特に限定しない。さらに、その厚さは５〜２００μｍの範囲内であれば、特に限定しない。
【図面の簡単な説明】
【０１１７】
【図１】本発明によるレンチキュラーレンズシートを用いた実施例１の透過型スクリーンを示した図である。
【図２】実施例１の透過型スクリーンを用いたリアプロジェクションテレビの断面図である。
【図３】本発明によるレンチキュラーレンズシートを用いた実施例１の透過型スクリーンの層構成を模式的に示した図である。
【図４】実施例１の透過型スクリーンにおけるフレネルレンズシートの変形例の層構成を模式的に示した図である。
【図５】実施例１の透過型スクリーンにおけるレンチキュラーレンズシートの変形例の層構成を模式的に示した図である。
【図６】実施例１の透過型スクリーンにおけるレンチキュラーレンズシートの変形例の層構成を模式的に示した図である。
【図７】実施例１の透過型スクリーンにおけるレンチキュラーレンズシートの変形例の層構成を模式的に示した図である。
【図８】本発明による拡散光学シートを用いた実施例２の透過型スクリーンを示した図である。
【図９】本発明による拡散光学シートを用いた実施例２の透過型スクリーンの層構成を模式的に示した図である。
【図１０】拡散光学要素の断面図である。
【図１１】実施例２の透過型スクリーンにおける拡散光学シートの変形例の層構成を模式的に示した図である。
【図１２】本発明によるレンチキュラーレンズシートを用いた実施例３の透過型スクリーンを示す図である。
【図１３】実施例３の透過型スクリーンを用いたリアプロジェクションテレビの断面図である。
【図１４】本発明によるレンチキュラーレンズシートを用いた実施例３の透過型スクリーンの層構成を模式的に示した図である。
【図１５】プリズム部の断面図である。
【図１６】実施例３の透過型スクリーンにおけるプリズムシートの変形例の層構成を模式的に示した図である。
【図１７】本発明による拡散光学シートを用いた実施例４の透過型スクリーンを示した図である。
【図１８】本発明による拡散光学シートを用いた実施例４の透過型スクリーンの層構成を模式的に示した図である。
【図１９】本発明による拡散光学シートを用いた実施例５の透過型スクリーンを示した図である。
【図２０】本発明による拡散光学シートを用いた実施例５の透過型スクリーンの層構成を模式的に示した図である
【図２１】実施例５の透過型スクリーンの変形例の層構成を模式的に示した図である。
【図２２】実施例５の透過型スクリーンの変形例の層構成を模式的に示した図である。
【図２３】本発明による拡散光学シートを用いた透過型スクリーンの変形例の層構成を模式的に示した図である。
【符号の説明】
【０１１８】
１，２    リアプロジェクションテレビ
２１，２２    光源部
３１，３２    ミラー部
１００，２００，３００，４００，５００    透過型スクリーン
１１０，４１０    フレネルレンズシート
１１１，４１１，２１１，５１１，３１１    第１のガラス基板
１１２，３１２，４１２，２１２，５１２    第１の飛散防止層
１１３，４１３，２１３，５１３    第３の飛散防止層
１１３ａ，４１３ａ    フレネルレンズ部
１１３ｂ，４１３ｂ    フレネル基材部
１１４−１，１１４−２，１２４−１，１２４−２    接合層
２１４−１，２１４−２，２２４−１，２２４−２    接合層
３１４−１，３１４−２    接合層
４１４−１，４１４−２，４２４−１，４２４−２    接合層
５１４−１，５１４−２，５２４−１，５２４−２    接合層
１２０，２２０    レンチキュラーレンズシート
１２１，２２１，５２１    第２のガラス基板
１２２，２２２，５２２    第４の飛散防止層
１２２ａ，２２２ａ    レンチキュラーレンズ部
１２２ｂ，２２２ｂ    レンチキュラー基材部
１２３，２２３，３１３，５２３    第２の飛散防止層
２１０，５１０    プリズムシート
２１２ａ，３１２ａ，５１２ａ    プリズム部
２１２ｂ，３１２ｂ，５１２ｂ    プリズム基材部
２２０，５２０    拡散光学シート
２２２ａ，３１３ａ，５２２ａ    拡散光学要素
２２２ｂ，３１２ｂ，５２２ｂ    拡散光学要素基材部
３１１    ガラス基板
１３０    フレネルレンズシート
１３１    プラスチック基板
１３２    フレネルレンズ部
【図１】
2006208593.tif 000003
【図２】
2006208593.tif 000004
【図３】
2006208593.tif 000005
【図４】
2006208593.tif 000006
【図５】
2006208593.tif 000007
【図６】
2006208593.tif 000008
【図７】
2006208593.tif 000009
【図８】
2006208593.tif 000010
【図９】
2006208593.tif 000011
【図１０】
2006208593.tif 000012
【図１１】
2006208593.tif 000013
【図１２】
2006208593.tif 000014
【図１３】
2006208593.tif 000015
【図１４】
2006208593.tif 000016
【図１５】
2006208593.tif 000017
【図１６】
2006208593.tif 000018
【図１７】
2006208593.tif 000019
【図１８】
2006208593.tif 000020
【図１９】
2006208593.tif 000021
【図２０】
2006208593.tif 000022
【図２１】
2006208593.tif 000023
【図２２】
2006208593.tif 000024
【図２３】
2006208593.tif 000025